(57)【要約】【課題】  二つの軸線周りに表示筐体部及び操作筐体部を回動可能とする携帯電話機を提供すること【解決手段】  この携帯電話機１ａは、表示筐体部１０及び操作筐体部２０を軸線α周りに相対的に回動可能なように連結する第１の連結手段としての保持部２１，２２及び第１連結部３１と、表示筐体部１０及び操作筐体部２０を軸線αと交わる軸線β周りに相対的に回動可能なように連結する第２の連結手段としての保持部２３，２４及び第２連結部３２と、を備え、表示筐体部１０及び操作筐体部２０が軸線α周りに回動するときは、第２連結手段の連結が解除され、表示筐体部１０及び操作筐体部２０が軸線β周りに回動するときは、第１連結手段の連結が解除される。【選択図】  図２
2005301696.tif 000002
【特許請求の範囲】
【請求項１】
表示部を有する表示筐体部と操作部を有する操作筐体部とが、前記表示部及び前記操作部が対向するように折りたたみ可能に配置されている情報処理装置であって、
前記表示筐体部及び前記操作筐体部を第１の軸線周りに相対的に回動可能なように連結する第１連結手段と、
前記表示筐体部及び前記操作筐体部を前記第１の軸線と交わる第２の軸線周りに相対的に回動可能なように連結する第２連結手段と、を備え、
前記表示筐体部及び前記操作筐体部が前記第１の軸線周りに回動するときは、前記第２連結手段の連結が解除され、
前記表示筐体部及び前記操作筐体部が前記第２の軸線周りに回動するときは、前記第１連結手段の連結が解除される、情報処理装置。
【請求項２】
前記第１連結手段及び前記第２連結手段はそれぞれ、
前記表示筐体部又は前記操作筐体部に設けられた鉤部と、
前記鉤部が設けられた筐体部とは異なる筐体部に設けられ、前記鉤部が挿入可能なように構成されている孔部と、
前記鉤部の曲がった先端部分が延びる方向に前記鉤部を移動させるための釦部と、を有し、
前記釦部が操作されない状態の場合には、前記鉤部の先端部分が前記孔部の周縁部分に掛けられており、
前記釦部が操作されている状態の場合には、前記鉤部の先端部分が前記孔部の周縁部分に掛けられずに前記鉤部が前記孔部に対して進退可能となる、
請求項１に記載の情報処理装置。
【請求項３】
前記操作筐体部において前記操作部が配置されている主面の前記第１の軸線及び前記第２の軸線が交わる部分には、前記表示筐体部から延びる電気配線を収容するための収容凹部が形成されている、請求項１又は２に記載の情報処理装置。
【請求項４】
前記表示筐体部及び前記操作筐体部が前記第１の軸線周りに回動するときと、前記表示筐体部及び前記操作筐体部が前記第２の軸線周りに回動するときと、のそれぞれにおいて、
前記表示部は画面の天地を前記第１の軸線に対して切り替えて表示する、請求項１〜３のいずれか１項に記載の情報処理装置。
【発明の詳細な説明】
【技術分野】
【０００１】
本発明は情報処理装置に関する。
【背景技術】
【０００２】
ＰＤＡ（Ｐｅｒｓｏｎａｌ  Ｄｉｇｉｔａｌ  Ａｓｉｓｔａｎｃｅ）といった情報機器や携帯電話機といった通信端末等の情報処理装置には、情報を表示するための表示部を有する表示筐体部と、表示部に表示されたデータを処理する入力を行うための操作部を有する操作筐体部とを備えるものがある。
【０００３】
このように表示筐体部と操作筐体部とを備える情報処理装置には、表示筐体部及び操作筐体部がそれぞれ矩形平板状であって、折りたたみ可能なように構成されているものがある。尚、このような情報処理装置は現在一般的なものであって、いわゆる文献公知発明に係るものではないので、記載すべき文献情報がない。
【発明の開示】
【発明が解決しようとする課題】
【０００４】
上述の情報処理装置は、一の軸線周りに表示筐体部及び操作筐体部が回動するものである。そこで本発明では、二つの軸線周りに表示筐体部及び操作筐体部を回動可能とする情報処理装置を提供することを目的とする。
【課題を解決するための手段】
【０００５】
本発明の情報処理装置は、表示部を有する表示筐体部と操作部を有する操作筐体部とが、表示部及び操作部が対向するように折りたたみ可能に配置されている情報処理装置であって、表示筐体部及び操作筐体部を第１の軸線周りに相対的に回動可能なように連結する第１連結手段と、表示筐体部及び操作筐体部を第１の軸線と交わる第２の軸線周りに相対的に回動可能なように連結する第２連結手段と、を備え、表示筐体部及び操作筐体部が第１の軸線周りに回動するときは、第２連結手段の連結が解除され、表示筐体部及び操作筐体部が第２の軸線周りに回動するときは、第１連結手段の連結が解除される。
【０００６】
本発明の情報処理装置によれば、表示筐体部及び操作筐体部が第１の軸線周りに回動する際には第２連結手段の連結が解除されるので、第２の軸線周りの拘束が解除されて表示筐体部及び操作筐体部が相対的に回動可能となる。また、表示筐体部及び操作筐体部が第２の軸線周りに回動する際には第１連結手段の連結が解除されるので、第１の軸線周りの拘束が解除されて表示筐体部及び操作筐体部が相対的に回動可能となる。
【０００７】
また本発明の情報処理装置では、第１連結手段及び第２連結手段はそれぞれ、表示筐体部又は操作筐体部に設けられた鉤部と、鉤部が設けられた筐体部とは異なる筐体部に設けられ、鉤部が挿入可能なように構成されている孔部と、鉤部の曲がった先端部分が延びる方向に鉤部を移動させるための釦部と、を有し、釦部が操作されない状態の場合には、鉤部の先端部分が孔部の周縁部分に掛けられており、釦部が操作されている状態の場合には、鉤部の先端部分が孔部の周縁部分に掛けられずに鉤部が孔部に対して進退可能となることも好ましい。第１連結手段及び第２連結手段は表示筐体部及び操作筐体部を孔部の周縁部分に鉤部の先端部分を掛けることで固定しているので、第１の軸線及び第２の軸線周りに表示筐体部及び操作筐体部を拘束し、又はその拘束を解除することが容易に可能となる。
【０００８】
また本発明の情報処理装置では、操作筐体部において操作部が配置されている主面の第１の軸線及び第２の軸線が交わる部分には、表示筐体部から延びる電気配線を収容するための収容凹部が形成されていることも好ましい。電気配線を収容凹部に収容できるので、操作筐体部及び表示筐体部を折りたたむ際に電気配線が邪魔にならないように収容可能となる。
【０００９】
また本発明の情報処理装置では、表示筐体部及び操作筐体部が第１の軸線周りに回動するときと、表示筐体部及び操作筐体部が第２の軸線周りに回動するときと、のそれぞれにおいて、表示部は画面の天地を第１の軸線に対して切り替えて表示することも好ましい。このように画面の天地を切り替えて表示すると、表示筐体部及び操作筐体部が第１の軸線周りに回動するときには、表示部は第１の軸線が画面の下方となるように当該画面を表示し、表示筐体部及び操作筐体部が第２の軸線周りに回動するときには、表示部は第１の軸線が画面の上方となるように当該画面を表示することになる。また、表示筐体部及び操作筐体部が第１の軸線周りに回動するときには、表示部は第１の軸線が画面の上方となるように当該画面を表示し、表示筐体部及び操作筐体部が第２の軸線周りに回動するときには、表示部は第１の軸線が画面の下方となるように当該画面を表示することになる。例えば、表示筐体部及び操作筐体部が第１の軸線周りに回動する際に、画面が正視できるように操作部が配置されていれば、第２の軸線周りに表示筐体部及び操作筐体部が回動する際にも画面を正視することが可能となる。
【発明の効果】
【００１０】
本発明によれば、二つの軸線周りに表示筐体部及び操作筐体部を回動可能なように構成できる。
【発明を実施するための最良の形態】
【００１１】
本発明の知見は、例示のみのために示された添付図面を参照して以下の詳細な記述を考慮することによって容易に理解することができる。引き続いて、添付図面を参照しながら本発明の実施の形態を説明する。可能な場合には、同一の部分には同一の符号を付して、重複する説明を省略する。
【００１２】
図１は携帯電話機（情報処理装置）１ａの斜視図である。携帯電話機１ａは、表示筐体部１０と、操作筐体部２０と、を備えている。表示筐体部１０及び操作筐体部２０は軸線α（第１の軸線）周りに相対的に回動可能なように連結されている。また、表示筐体部１０及び操作筐体部２０は軸線β（第２の軸線）周りにも相対的に回動可能なように連結されている。
【００１３】
表示筐体部１０及び操作筐体部２０が軸線α周りに回動して開いた状態を図２に示す。操作筐体部２０の操作部２５が設けられている主面には、第１連結部３１（第１連結手段）を軸線α周りに回動可能なように保持する保持部２１（第１連結手段）及び保持部２２（第１連結手段）が設けられている。保持部２１及び保持部２２は第１連結部３１を挟むようにして設けられている。第１連結部３１は後述するように表示筐体部１０に連結されている。従って、表示筐体部１０及び操作筐体部２０は軸線α周りに相対的に回動可能となっている。
【００１４】
表示筐体部１０には釦部１１が設けられている。釦部１１は表示筐体部１０の軸線αと反対側の側面に設けられている。この釦部１１は後述するように、操作筐体部２０に設けられている第２連結部３２（第２連結手段）との連結を解除するための釦である。より具体的には、第２連結部３２の固定部分３２１に穿たれている孔部３２１a及び孔部３２１ｂに挿入される鉤部（図２においては図示しない）を移動させるための釦である。
【００１５】
表示筐体部１０の表示部１２が設けられている主面には凹部１２１が設けられている。凹部１２１は、表示筐体部１０及び操作筐体部２０を閉じた場合（図１に図示した状態）に、第２連結部３２の固定部分３２１が収まるように形成されている。
【００１６】
引き続いて、表示筐体部１０及び操作筐体部２０が軸線β周りに回動して開いた状態について説明する。この状態を図３に示す。操作筐体部２０の操作部２５が設けられている主面には、第２連結部３２（第２連結手段）を軸線β周りに回動可能なように保持する保持部２３（第２連結手段）及び保持部２４（第２連結手段）が設けられている。保持部２３及び保持部２４は第２連結部３２を挟むようにして配置されている。第２連結部３２は後述するように表示筐体部１０に連結されている。従って、表示筐体部１０及び操作筐体部２０は軸線β周りに相対的に回動可能となっている。
【００１７】
表示筐体部１０には釦部１３が設けられている。釦部１３は表示筐体部１０の軸線βと反対側の側面に設けられている。この釦部１３は、操作筐体部２０に設けられている第１連結部３１との連結を解除するための釦である。より具体的には、第１連結部３１の固定部分３１１に穿たれている孔部３１１a及び孔部３１１ｂに挿入される鉤部（図示しない）を移動させるための釦である。
【００１８】
表示筐体部１０の表示部１２が設けられている主面には凹部１２２が設けられている。凹部１２２は、表示筐体部１０及び操作筐体部２０を閉じた場合（図１に図示した状態）に、第１連結部３１の固定部分３１１が収まるように形成されている。
【００１９】
表示筐体部１０の表示部１２に表示される画面について図４（Ａ）及び図４（Ｂ）を参照しながら説明する。表示筐体部１０及び操作筐体部２０が軸線α周りに相対的に回動して開いた場合（図２に示した状態）には、図４（Ａ）に示すような状態となる。すなわち、表示筐体部１０の表示部１２には軸線αがその下方となるように画面が表示される。
【００２０】
また、表示筐体部１０及び操作筐体部２０が軸線β周りに相対的に回動して開いた場合（図３に示した状態）には、図４（Ｂ）に示すような状態となる。すなわち、表示筐体部１０の表示部１２には軸線αがその上方となるように画面が表示される。
【００２１】
従って、表示筐体部１０及び操作筐体部２０が軸線α周りに回動した場合と軸線β周りに回動した場合にはそれぞれ表示される画面が上下逆転する。表示部１２に画面をこのように表示させるためには、表示筐体部１０の釦１１が押された場合には軸線α周りに回動しているものと判断し、釦１３が押された場合には軸線β周りに回動しているものと判断するように回路構成する。
【００２２】
尚、表示筐体部１０と操作筐体部２０とを回動させる軸線は上述のものに限られない。例えば図５（Ａ）に示すように、操作筐体部２０を挟んで軸線αと反対側の軸線α’周りに表示筐体部１０及び操作筐体部２０を回動させるように構成してもよい。また、図５（Ｂ）に示すように、操作筐体部２０を挟んで軸線βと反対側の軸線β’周りに表示筐体部１０及び操作筐体部２０を回動させるように構成してもよい。
【００２３】
引き続いて、表示筐体部１０及び操作筐体部２０を軸線α周りに回動させる際の各部の動作について図６を参照しながら説明する。尚、軸線β周りの回動についても同様であるのでその詳細な説明は省略する。図６は、図１の状態において、軸線βに沿った断面図（軸線α近傍においては軸線α周りに回動する部分の断面図）である。
【００２４】
表示筐体部１０の釦部１１には、釦部１１が押される方向に延びる開放部１４（第２連結手段）が連結されている。開放部１４には鉤部１４１及び鉤部１４２が設けられている。鉤部１４１及び鉤部１４２は表示筐体部１０の凹部１２１（図２参照）に設けられている孔部１２１ａ及び孔部１２１ｂから表示筐体部１０の外部に突出している。
【００２５】
鉤部１４１及び鉤部１４２はそれぞれ、先端部分１４１ａ及び根元部分１４１ｂ、先端部分１４２ａ及び根元部分１４２ｂから構成されている。根元部分１４１ｂ及び根元部分１４２ｂは、表示筐体部１０の孔部１２１ａ及び孔部１２１ｂからそれぞれ突出し、第２連結部３２の固定部分３２１に設けられている孔部３２１ａ及び孔部３２１ｂに入っている。
【００２６】
先端部分１４１ａ及び先端部分１４２ａは、固定部分３２１の内部において釦部１１が設けられている方向に突出しており、固定部分３２１の孔部３２１ａ及び３２１ｂにそれぞれ引っ掛けられた状態となっている。
【００２７】
従って、図６に示す状態では、表示筐体部１０と操作筐体部２０とを相対的に回動させることはできない。尚、第１連結部３１においても同様に、釦部１３に連結された開放部１５（第１連結手段）が引っ掛けられた状態となっている。
【００２８】
図６に示した状態から、表示筐体部１０の釦部１１を押した状態を図７に示す。図７に示す状態では、図６に示した状態から距離ｄだけ釦部１１が押されている。このように釦部１１を距離ｄだけ押すと、釦部１１に連結された開放部１４も距離ｄだけ移動する。従って、開放部１４の鉤部１４１及び鉤部１４２も距離ｄだけ移動することになり、鉤部１４１及び鉤部１４２のそれぞれの先端部分１４１ａ及び先端部分１４２ａも距離ｄだけ移動する。先端部分１４１ａ及び先端部分１４２ａは、根元部分１４１ｂ及び根元部分１４２ｂから距離ｄに相当する寸法（実際には距離ｄよりも若干短い寸法）だけ突出しているので、先端部分１４１ａ及び先端部分１４２ａが孔部３２１ａ及び孔部３２１ｂに引っかかった状態が解除される。
【００２９】
図７に示した状態から、表示筐体部１０を持ち上げた状態を図８に示す。図８に示す状態では、表示筐体部１０及び操作筐体部２０が軸線α周りに回動しており、図２に示した状態になっている。
【００３０】
引き続いて、表示筐体部１０及び操作筐体部２０を電気的に接続する部分について図９を参照しながら説明する。図９は、図２に示す状態において、表示筐体部１０の表示部１２が見える角度から配線収納部２６の近傍を見た状態を示す図である。
【００３１】
配線収納部２６は、軸線α及び軸線βが交わる部分に設けられている。すなわち、配線収納部２６は、保持部２１及び保持部２４の間に設けられている。配線収納部２６が表示筐体部２０に接する部分には収容凹部２６１が形成されている。収容凹部２６１には、表示筐体部１０から延びる電気配線４０が収納される。
【００３２】
従って、表示筐体部１０と操作筐体部２０とを閉じた状態（図１に示す状態）にした場合には、電気配線４０は収容凹部２６１内に引き込まれて収容される。
【００３３】
本実施形態の作用効果について説明する。表示筐体部１０及び操作筐体部２０が軸線α周りに回動する際には、釦部１１が押されて鉤部１４１及び鉤部１４２が第２連結部３２から外れて連結が解除されるので、軸線β周りの拘束が解除されて表示筐体部１０及び操作筐体部２０が相対的に回動可能となる。また、表示筐体部１０及び操作筐体部２０が軸線β周りに回動する際には、釦部１３が押されて同様に開放部１５の鉤部（図示しない）が第１連結部３１から外れて連結が解除されるので、軸線α周りの拘束が解除されて表示筐体部１０及び操作筐体部２０が相対的に回動可能となる。
【図面の簡単な説明】
【００３４】
【図１】本実施形態の携帯電話機を示す図である。
【図２】図１の携帯電話機を開いた状態を示す図である。
【図３】図１の携帯電話機を開いた状態を示す図である。
【図４】図１の携帯電話機の表示部に表示される画面を説明する図である。
【図５】図４の変形例を示す図である。
【図６】本実施形態の携帯電話機を示す断面図である。
【図７】本実施形態の携帯電話機を示す断面図である。
【図８】本実施形態の携帯電話機を示す断面図である。
【図９】図１の携帯電話機の配線収納部を説明する図である。
【符号の説明】
【００３５】
１ａ…携帯電話機、１０…表示筐体部、２０…操作筐体部、１１…釦部、１２…表示部、１３…釦部、２１〜２４…保持部、２５…操作部、２６…配線収納部、３１…第１連結部、３２…第２連結部。
【図１】
2005301696.tif 000003
【図２】
2005301696.tif 000004
【図３】
2005301696.tif 000005
【図４】
2005301696.tif 000006
【図５】
2005301696.tif 000007
【図６】
2005301696.tif 000008
【図７】
2005301696.tif 000009
【図８】
2005301696.tif 000010
【図９】
2005301696.tif 000011